(57)【要約】      （修正有）【課題】使用後の収納時に収納面積を少なくすることができると共に、ホルダーに収容した状態でボトルから飲用しやすい保冷・保温ボトルホルダーを提供する。【解決手段】底部２と、その底部から立ち上がる側部３と、上部開口４を有するボトルホルダー１である。前記側部３の上端３１が、正面から見ると山形であり、その山形頂部３２が仮想中心線３３から左方向又は右方向にそれていると共に、前記山形頂部３２から下がっていくときの傾斜角度が前記山形頂部３２の左右で異なる。さらに、前記上部開口４をまたぐ位置に閉鎖テープ５を有し、この閉鎖テープ５の一端は前記側部３の上端３１付近に固定され、他端５２は自由端であって面ファスナー５３となっている。【選択図】図３
0003182199.tif 000002
【実用新案登録請求の範囲】
【請求項１】
底部（２）と、その底部からほぼ円柱状に立ち上がる側部（３）と、上部開口（４）を有するボトルホルダー（１）であって、
前記側部（３）の上端（３１）が、正面から見ると山形であり、その山形頂部（３２）が仮想中心線（３３）から左方向又は右方向にそれていると共に、前記山形頂部（３２）から下がっていくときの傾斜角度が前記山形頂部（３２）の左右で異なることを特徴とするボトルホルダー。
【請求項２】
前記上部開口（４）をまたぐ位置に閉鎖テープ（５）を有し、この閉鎖テープ（５）の一端は前記側部（３）の上端（３１）付近に固定され、他端（５２）は自由端であって面ファスナー（５３）となっており、
前記面ファスナー（５３）と相互に付着可能な面ファスナー（３４，３５）が、前記側部上端付近の位置、及び前記側部の、前記ホルダーを巻いて折り畳んだ状態に固定可能な位置に設けられている請求項１記載のボトルホルダー。
【請求項３】
前記閉鎖テープ（５）が、前記仮想中心線（３３）からみて前記山形頂部（３２）と反対側に設けられている請求項２記載のボトルホルダー。
【請求項４】
前記閉鎖テープ（５）の前記面ファスナ（３４，３５）の雌側は、非ループ型又は非パイル型のものである請求項１〜３のいずれかに記載のボトルホルダー。
【考案の詳細な説明】
【技術分野】
【０００１】
本考案は、折り畳み可能なボトルホルダーに関する。このホルダーは、たとえば、保冷・保温用の携帯型ボトルホルダーとして使用可能である。
【背景技術】
【０００２】
この種のボトルホルダーは多種多様なものが公知である。たとえば、特開２００５―８８９９０では、熱可塑性プラスチックシート製の有底筒状外袋と調湿性エラストマーシート製の筒状有底内袋からなる断熱袋が紹介されている。折り畳み機能としては、前記外袋と内袋の底部にガセットを設けることにより、収容時には底部も含めて平坦に折り畳むことができる。
【考案の概要】
【考案が解決しようとする課題】
【０００３】
前記従来技術では、使用後、ボトルホルダーは平坦に畳むことができるが、畳んだ状態でもかなりの収納面積を必要とする。また、ホルダーに収容した状態でボトルから直接飲用するために特別な配慮は施されていない。
【０００４】
本考案では、使用後の収納時に収納容積を少なくすることができると共に、ホルダーに収容した状態でボトルから飲用しやすい保冷・保温ボトルホルダーを提供することを目的とする。
【課題を解決するための手段】
【０００５】
本考案は、底部と、その底部からほぼ円柱状に立ち上がる側部と、上部開口を有するボトルホルダーであって、前記側部の上端が、正面から見ると山形であり、その山形頂部が仮想中心線から左方向又は右方向にそれていると共に、前記山形頂部から下がっていくときの傾斜角度が前記山形頂部の左右で異なることを特徴とする（請求項１）。
【０００６】
好ましくは、前記上部開口をまたぐ位置に閉鎖テープを有し、この閉鎖テープの一端は前記側部の上端付近に固定され、他端は自由端であって面ファスナーとなっており、前記面ファスナーと相互に付着可能な対応面ファスナーが、前記側部上端付近の位置、及び前記側部の、前記ホルダーを巻いて折り畳んだ状態に固定可能な位置に設けられている（請求項２）。また、前記閉鎖テープは、前記仮想中心線からみて前記山形頂部と反対側にそれて設けられている（請求項３）。さらに、前記閉鎖テープの前記面ファスナの雌側は、非ループ型又は非パイル型のものであることが好ましい（請求項４）。
【考案の効果】
【０００７】
請求項1の考案によれば、使用後、ホルダーは巻き上げて容積を小さくして収納することが可能であるので、バッグなどでの携帯が容易である。
【０００８】
請求項２及び３の考案によれば、ホルダーに収容した状態でボトルから直接飲用しやすいものとなる。
【０００９】
請求項４の考案によれば、バッグの中にこのホルダーを衣服などと共に収納したときでも、衣服の繊維が面ファスナーの雌部材と絡みにくくなると共に、肌触りがよく、ごみや糸くずが出にくいものとなる。
【００１０】
以下、添付の図面に基づき、本考案の１実施例を説明する。
【図面の簡単な説明】
【００１１】
【図１】本考案の１実施例に係る保冷・保温ボトルホルダーの使用状態の斜視図である。
【図２】図１の保冷・保冷ボトルホルダーの折り畳み状態の斜視図である。
【図３】図１の保冷・保温ボトルホルダーの、（ａ）平面図、（ｂ）底面図、（ｃ）正面図、（ｄ）背面図、（ｅ）右側面図、（ｆ）左側面図である。
【図４】図３における４−４線断面図である。
【考案を実施するための形態】
【００１２】
本実施例のボトルホルダー１は、底面２が楕円状、底面から立ち上がる側部３が円柱型で、上部が開放されて開口４となっている。側部上端３１は正面から見ると、図３（ｃ）（ｄ）に示すように、山形であり、その山形頂部３２は仮想中心線３３から左方向又は右方向にそれている。この山形頂部３２から下がっていくときの傾斜角度は山形頂部３２の左右で異なっている。
【００１３】
山形頂部３２がそれている方向と逆の方向の側部上部には開口４を部分的に閉じるための閉鎖テープ５が設けられている。閉鎖テープの一端５１はホルダー側部上部付近に糸で固着され、他端５２は自由端であって面ファスナー５３が取り付けられている。ホルダーの、閉鎖テープ５の面ファスナー５３が当たる位置には対応する第１の面ファスナー３４が取り付けられていて、相互に付着可能である。
【００１４】  使用する雌雄の面ファスナーはホルダー側部３側が雌部材で、閉鎖テープ５側が雄部材であることが好ましい。バッグの中に衣服などと共に収納したとき、衣服の繊維が面ファスナーの雌部材と絡みやすいからである。しかし、繊維と絡みにくく、肌触りがよく、ごみや糸くずが出にくい雌部材を有する非ループ型又は非パイル型の面ファスナーも市販されており、それを使用すれば、雌雄の配置を問題にすることもなくなる。非ループ型又は非パイル型の面ファスナーとしては、たとえば、（公序良俗違反につき、不掲載）が知られている。
【００１５】
ホルダー１の材質は、外側表面は強靭な織物・編物等の布帛、内側表面はアルミニウム膜を蒸着したポリエステルフィルムシートであり、その間に断熱用のシート状発泡ポリエチレンが収納されている。
【００１６】
ホルダーの底面周囲２１及び側部上端３１は補強片で縁どりされている。
【００１７】
このホルダー１にボトル６を収容すると図１の状態となる。ボトル６が細いときは、ボトル６を収容した状態でも閉鎖テープ５で固定できるが、太いときには固定できない場合もある。
【００１８】
図１のように収容されたボトル６は、ホルダー側部上端３１のそれた山形頂部３２のために、ボトル開口６１が図１の右側に大きく露出するので、傾斜が急な側から直接口を付けて飲用しやすい。
【００１９】
飲み終わったボトル６を取り出して廃棄した後、ホルダー１をバッグ（図示せず）などに収納するには、ホルダー底部２から上端に向かって巻き取るように転がし、図２のような形にする。先に使用した閉鎖テープ５の面ファスナー５３を再び使用してその折り畳み状態を固定する。そのためにはホルダー側部３の中央部にも第２の面ファスナー３５（図３（ｄ））を取り付けておく必要がある。
【００２０】
本考案のボトルホルダーは、使用後の収納時に収納容積を少なくすることができると共に、ホルダーに収容した状態でボトルから飲用しやすい。
【符号の説明】
【００２１】
１      ボトルホルダー
２      底面
２１    底面周囲
３      側部
３１    側部上端
３２    山形頂部
３３    仮想中心線
３４    第１面ファスナー
３５    第２面ファスナー
４      開口
５      閉鎖テープ
５１    一端
５２    他端
５３    面ファスナー
６      ボトル
６１    ボトル開口
【先行技術文献】
【特許文献】
【００２２】
【特許文献１】特開２００５―８８９９０
【図１】
0003182199.tif 000003
【図２】
0003182199.tif 000004
【図３】
0003182199.tif 000005
【図４】
0003182199.tif 000006
【手続補正書】
【提出日】平成25年1月16日(2013.1.16)
【手続補正１】
【補正対象書類名】実用新案登録請求の範囲
【補正対象項目名】全文
【補正方法】変更
【補正の内容】
【実用新案登録請求の範囲】
【請求項１】
底部（２）と、その底部から立ち上がる側部（３）と、上部開口（４）を有するボトルホルダー（１）であって、
前記側部（３）の上端（３１）が、正面から見ると山形であり、その山形頂部（３２）が仮想中心線（３３）から左方向又は右方向にそれていると共に、前記山形頂部（３２）から下がっていくときの傾斜角度が前記山形頂部（３２）の左右で異なることを特徴とするボトルホルダー。
【請求項２】
前記上部開口（４）をまたぐ位置に閉鎖テープ（５）を有し、この閉鎖テープ（５）の一端は前記側部（３）の上端（３１）付近に固定され、他端（５２）は自由端であって面ファスナー（５３）となっており、
前記面ファスナー（５３）と相互に付着可能な面ファスナー（３４，３５）が、前記側部上端付近の位置、及び前記側部の、前記ホルダーを巻いて折り畳んだ状態に固定可能な位置に設けられている請求項１記載のボトルホルダー。
【請求項３】
前記閉鎖テープ（５）が、前記仮想中心線（３３）からみて前記山形頂部（３２）と反対側に設けられている請求項２記載のボトルホルダー。
【請求項４】
前記閉鎖テープ（５）の前記面ファスナ（３４，３５）の雌側は、非ループ型又は非パイル型のものである請求項１〜３のいずれかに記載のボトルホルダー。
【手続補正２】
【補正対象書類名】明細書
【補正対象項目名】０００５
【補正方法】変更
【補正の内容】
【０００５】
本考案は、底部と、その底部から立ち上がる側部と、上部開口を有するボトルホルダーであって、前記側部の上端が、正面から見ると山形であり、その山形頂部が仮想中心線から左方向又は右方向にそれていると共に、前記山形頂部から下がっていくときの傾斜角度が前記山形頂部の左右で異なることを特徴とする（請求項１）。
【手続補正３】
【補正対象書類名】明細書
【補正対象項目名】００１４
【補正方法】変更
【補正の内容】
【００１４】
使用する雌雄の面ファスナーはホルダー側部３側が雌部材で、閉鎖テープ５側が雄部材であることが好ましい。バッグの中に衣服などと共に収納したとき、衣服の繊維が面ファスナーの雌部材と絡みやすいからである。しかし、繊維と絡みにくく、肌触りがよく、ごみや糸くずが出にくい雌部材を有する非ループ型又は非パイル型の面ファスナーも市販されており、それを使用すれば、雌雄の配置を問題にすることもなくなる。